(57)【要約】【課題】  安価な構造で接続作業を迅速容易に行うこと。【解決手段】  コントロール基板たるプリント配線基板４の表面４ａに複数のランド７が互いに接近して配列され、中央杆１２Ａと一対の脚杆１２Ｂとからなるコ字状針金１２を有し、両脚杆１２Ｂの根元間の間隔ｈ１が保護皮膜ＦＦＣａの横幅ｈ２と同一またはわずかに大きく設定され、該両脚杆１２Ｂに対向してプリント配線基板４の各ランド７の近傍に一対の位置決め孔１３が貫設されており、フレキシブルフラットケーブルＦＦＣの各端子ＦＦＣｂを各ランド７に対向させ、保護皮膜ＦＦＣａの端部にコ字状針金１２を跨がらせて該コ字状針金１２の各脚杆１２Ｂを各位置決め孔１３に挿通し、該両脚杆１２Ｂをプリント配線基板４の裏面４ｂに沿って折り曲げ、フレキシブルフラットケーブルＦＦＣの各端子ＦＦＣｂを各ランド７に半田付け８する。【選択図】        図１
2010158122.tif 000002
【特許請求の範囲】
【請求項１】
プリント配線基板の表面に複数のランドが互いに接近して配列され、該各ランドにフレ
キシブルフラットケーブルの保護被覆から突出する複数の端子が半田付けされたフレキシ
ブルフラットケーブル接続装置において、中央杆と該中央杆の両端から折曲された一対の
脚杆とからなるコ字状針金を有し、前記両脚杆の根元間の間隔が前記保護皮膜の横幅と同
一またはわずかに大きく設定され、該両脚杆に対向してプリント基板の各ランドの近傍に
一対の位置決め孔が貫設されており、フレキシブルフラットケーブルの各端子を各ランド
に対向させ、保護皮膜の端部にコ字状針金を跨がらせて該コ字状針金の各脚杆を各位置決
め孔に挿通し、該両脚杆をプリント配線基板の裏面に沿って折り曲げたことを特徴とする
フレキシブルフラットケーブル接続装置。
【請求項２】
前記各位置決め孔が各ランドの配列方向とは直交する方向に沿って長孔状に形成される
と共に、該各位置決め孔のランド側端部の横幅に比べてその各位置決め孔のランド反対側
端部の横幅が大きく設定され、その両位置決め孔の外側内側面がランド反対側端部からラ
ンド側端部に向かって先すぼまりの略ハ字状に傾斜されていることを特徴とする請求項１
に記載のフレキシブルフラットケーブル接続装置。
【請求項３】
前記両ランド側端部の外側内側面間の間隔が前記中央杆の長さと同一またはわずかに大
きく設定されていることを特徴とする請求項２に記載のフレキシブルフラットケーブル接
続装置。
【請求項４】
前記コ字状針金がジャンパー線からなることを特徴とする請求項１〜３のいずれかに記
載のフレキシブルフラットケーブル接続装置。
【発明の詳細な説明】
【技術分野】
【０００１】
本発明は、ディスク装置（例えばＢｌｕ−ｒａｙ  Ｄｉｓｃ式のレコーダまたはプレー
ヤ）などの電気機器に使用されるフレキシブルフラットケーブル接続装置に関し、特に、
安価な構造で接続作業を迅速容易に行うことができるようにしたものである。
【背景技術】
【０００２】
図５はディスク装置（例えばＢｌｕ−ｒａｙ  Ｄｉｓｃ式のレコーダまたはプレーヤ）
の縦断面図を示すものであって、光ディスクに記録されている情報の再生や消去または録
画を行うためのディスク装置本体１が筐体２内に配置され、ディスク装置本体１を制御す
るためのメイン基板を形成するプリント配線基板３が筐体２のボトムシャーシ２ａ上に配
置され、筐体２のフロントパネル２ｂの後方にコントロール基板を形成するプリント配線
基板４が配置され、メイン基板たるプリント配線基板３にコネクタ５を介して接続したフ
レキシブルフラットケーブルＦＦＣが接続装置６によりコントロール基板たるプリント配
線基板４に接続されている。
【０００３】
前記接続装置６は、図６（ａ）の正面図、図６（ｂ）のＣ−Ｃ矢視図及び図６（ｃ）の
Ｄ−Ｄ矢視図に示すように、プリント配線基板４の表面４ａに互いに接近して配列された
複数のランド７を有しており、フレキシブルフラットケーブルＦＦＣの保護皮膜ＦＦＣａ
から突出する複数の端子ＦＦＣｂを前記各ランド７に位置決めし、該各端子ＦＦＣｂを各
ランド７に半田付け８している。なお、９はレジストである。
【０００４】
上記構成では、各ランド７が互いに接近して配列されているため、その各ランド７に各
端子ＦＦＣｂを正確に位置決めした状態を保持するのが困難である。
【０００５】
そこで、従来では、図６（ａ）〜（ｃ）に示すように、両面接着テープ１０で保護皮膜
ＦＦＣａの端部をプリント配線基板４に接着することにより、各端子ＦＦＣｂを各ランド
７に位置決めした状態を保持している。なお、関連する技術として特許文献１に記載した
ものがある。
【特許文献１】特開２００１−６４４１号公報
【発明の開示】
【発明が解決しようとする課題】
【０００６】
上記従来の構成では、両面接着テープ１０で保護皮膜ＦＦＣａをプリント配線基板４に
接着したときに、各ランド７に対して各端子ＦＦＣｂがわずかに位置ずれした場合、その
位置ずれを微調整することができないから、保護皮膜ＦＦＣａをプリント配線基板４から
剥離し、再び、各端子ＦＦＣｂを各ランド７に位置決めして、両面接着テープ１０による
接着作業を再度行っているが、これでは、各端子ＦＦＣｂの位置決めに時間と手間とがか
かって面倒である。また、両面接着テープ１０が比較的高価であるから、コストアップに
なっている。
【０００７】
本発明は、上記従来の欠点に鑑み、安価な構造で接続作業を迅速容易に行うことができ
るようにフレキシブルフラットケーブル接続装置を提供することを目的としている。
【課題を解決するための手段】
【０００８】
上記目的を達成するため、請求項１に記載の発明は、プリント配線基板の表面に複数の
ランドが互いに接近して配列され、該各ランドにフレキシブルフラットケーブルの保護被
覆から突出する複数の端子が半田付けされたフレキシブルフラットケーブル接続装置にお
いて、中央杆と該中央杆の両端から折曲された一対の脚杆とからなるコ字状針金を有し、
前記両脚杆の根元間の間隔が前記保護皮膜の横幅と同一またはわずかに大きく設定され、
該両脚杆に対向してプリント基板の各ランドの近傍に一対の位置決め孔が貫設されており
、フレキシブルフラットケーブルの各端子を各ランドに対向させ、保護皮膜の端部にコ字
状針金を跨がらせて該コ字状針金の各脚杆を各位置決め孔に挿通し、該両脚杆をプリント
配線基板の裏面に沿って折り曲げたことを特徴としている。
【０００９】
請求項２に記載の発明は、請求項１に記載の発明において、前記各位置決め孔が各ラン
ドの配列方向とは直交する方向に沿って長孔状に形成されると共に、該各位置決め孔のラ
ンド側端部の横幅に比べてその各位置決め孔のランド反対側端部の横幅が大きく設定され
、その両位置決め孔の外側内側面がランド反対側端部からランド側端部に向かって先すぼ
まりの略ハ字状に傾斜されていることを特徴としている。
【００１０】
請求項３に記載の発明は、請求項２に記載の発明において、前記両ランド側端部の外側
内側面間の間隔が前記中央杆の長さと同一またはわずかに大きく設定されていることを特
徴としている。
【００１１】
請求項４に記載の発明は、請求項１〜３のいずれかに記載の発明において、前記コ字状
針金がジャンパー線からなることを特徴としている。
【発明の効果】
【００１２】
請求項１に記載の発明によれば、フレキシブルフラットケーブルの各端子を各ランドに
対向させ、保護皮膜の端部にコ字状針金を跨がらせて該コ字状針金の各脚杆をプリント配
線基板の各位置決め孔に挿通し、該両脚杆をプリント配線基板の裏面に沿って折り曲げる
ことにより、各端子の位置決め状態が仮固定されるから、その仮固定状態で各端子の位置
を微調整して該各端子を各ランドに対して正確に位置決めすることができると共に、それ
に続く半田付け作業を迅速容易に行うことができる。
【００１３】
請求項２に記載の発明によれば、各位置決め孔のランド反対側端部の横幅が大きく設定
されているから、保護皮膜の端部に跨がらせたコ字状針金の各脚杆をその広幅の各ランド
反対側端部に容易に挿通することができ、その挿通状態からコ字状針金を各位置決め孔の
ランド側端部に向かって押すだけで、各脚杆を両位置決め孔の傾斜させた外側内側面に沿
って各ランド側端部まで円滑に移動させて、フレキシブルフラットケーブルの各端子を所
望通りに位置決めすることができる。
【００１４】
請求項３に記載の発明によれば、両ランド側端部の外側内側面によりコ字状針金を介し
て保護皮膜の位置が規制されるから、フレキシブルフラットケーブルの各端子を各ランド
に対して自動的に位置決めすることができる。
【００１５】
請求項４に記載の発明によれば、コ字状針金として安価なジャンパー線を用いることに
より、コストダウンを図ることができる。
【発明を実施するための最良の形態】
【００１６】
図１〜図４は本発明の実施の一形態であるフレキシブルフラットケーブル接続装置を示
すものであって、図１は同斜視図、図２（ａ）は同正面図、図２（ｂ）はＡ−Ａ矢視図、
図１（ｃ）はＢ−Ｂ矢視図、図３は同分解正面図、図４（ａ）〜（ｃ）は同接続手順を示
す説明図である。
【００１７】
図１〜図３に示すように、フレキシブルフラットケーブルＦＦＣの接続装置６はコ字状
針金１２を有し、プリント配線基板４に一対の位置決め孔１３が貫設されている。上記以
外の構成は図５及び図６に示す構成とほぼ同じであるから、同一部分に同一符号を付して
その説明を省略する。
【００１８】
図１〜図３に示すように、前記コ字状針金１２としては、この実施の形態では、電極ど
うしを接続するためのジャンパー線を使用しており、自在に折り曲げ可能であると共に、
その折り曲げた状態を保持可能であって、中央杆１２Ａと、該中央杆１２Ａの両端からほ
ぼ直角に折曲された一対の脚杆１２Ｂとを有し、両脚杆１２Ｂの根元間の間隔ｈ１が保護
皮膜ＦＦＣａの横幅ｈ２と同一またはわずかに大きく設定されている（ｈ１≧ｈ２）。
【００１９】
図１〜図４に示すように、前記各位置決め孔１３は、両脚杆１２Ｂに対向してプリント
配線基板４の各ランド７の近傍から該各ランド７の配列方向Ｘとは直交する方向Ｙに沿っ
て長孔状に形成されると共に、該各位置決め孔１３のランド側端部１３ａの横幅ｔ１に比
べてその各位置決め孔１３のランド反対側端部１３ｂの横幅ｔ２が大きく設定されている
（ｔ１＜ｔ２）。
【００２０】
また、両位置決め孔１３の外側内側面１３Ａがランド反対側端部１３ｂからランド側端
部１３ａに向かって先すぼまりの略ハ字状に傾斜され、両ランド側端部１３ａの外側内側
面１３Ａ間の間隔ｈ３が、中央杆１２Ａの長さｈ４と同一またはわずかに大きく設定され
ている（ｈ３≧ｈ４）。
【００２１】
接続手順を説明すると、図４（ａ）の実線及び図４（ｂ）に示すように、フレキシブル
フラットケーブルＦＦＣの各端子ＦＦＣｂを各ランド７に対向させ、保護皮膜ＦＦＣａの
端部にコ字状針金１２を跨がらせて該コ字状針金１２の各脚杆１２Ｂを各位置決め孔１３
のランド反対側端部１３ｂに挿通し、そのコ字状針金１２を各位置決め孔１３のランド側
端部１３ａに向けて押す。これにより、図４（ａ）の仮想線及び図４（ｃ）に示すように
、各脚杆１２Ｂが両外側内側面１３Ａに沿ってランド側端部１３ａまで移動させられる。
その後、図４（ｃ）の仮想線に示すように、各脚杆１２Ｂをプリント配線基板４の裏面４
ｂに沿って外側に折り曲げる。これにより、保護皮膜ＦＦＣａの端部が仮固定される。
【００２２】
続いて、保護皮膜ＦＦＣａを指部で矢印Ｘ，Ｙ方向に微妙に移動させて各端子ＦＦＣｂ
を各ランド７に正確に位置決めし、該各端子ＦＦＣｂを各ランド７に半田付け８する。
【００２３】
上記構成によれば、各位置決め孔１３のランド反対側端部１３ｂの横幅ｔ２が大きく設
定されているから、保護皮膜ＦＦＣａの端部に跨がらせたコ字状針金１２の各脚杆１２Ｂ
をその広幅の各ランド反対側端部１３ｂに容易に挿通することができ、その挿通状態から
コ字状針金１２を各位置決め孔１３のランド側端部１３ａに向かって押すだけで、各脚杆
１２Ｂを両位置決め孔１３の傾斜させた外側内側面１３Ａに沿って各ランド側端部１３ａ
まで円滑に移動させて、フレキシブルフラットケーブルＦＦＣの各端子ＦＦＣｂを所望通
りに位置決めすることができる。
【００２４】
特に、両脚杆１２Ｂの根元間の間隔ｈ１が保護皮膜ＦＦＣａの横幅ｈ２と同一またはわ
ずかに大きく設定され（ｈ１≧ｈ２）、両ランド側端部１３ａの外側内側面１３Ａ間の間
隔ｈ３が、中央杆１２Ａの長さｈ４と同一またはわずかに大きく設定され（ｈ３≧ｈ４）
ており、両ランド側端部１３ａの外側内側面１３Ａによりコ字状針金１２を介して保護皮
膜ＦＦＣａの位置が規制されるから、フレキシブルフラットケーブルＦＦＣの各端子ＦＦ
Ｃｂを各ランド７に対して自動的に位置決めすることができる。
【００２５】
また、両脚杆１２Ｂをプリント配線基板４の裏面に沿って折り曲げることにより、各端
子ＦＦＣｂの位置決め状態が仮固定されるから、その仮固定状態で各端子ＦＦＣｂの位置
を微調整して該各端子ＦＦＣｂを各ランド７に対して正確に位置決めすることができると
共に、それに続く半田付け８作業を迅速容易に行うことができる。
【００２６】
更に、コ字状針金１２として安価なジャンパー線を用いることにより、コストダウンを
図ることができる。なお、コ字状針金１２としては、ジャンパー線の他に、例えば軟鉄製
針金を用いてもよい。
【産業上の利用可能性】
【００２７】
上記実施の形態では、ディスク装置（例えばＢｌｕ−ｒａｙ  Ｄｉｓｃ式のレコーダま
たはプレーヤ）のコントロール基板であるプリント配線基板４とフレキシブルフラットケ
ーブルＦＦＣとの接続装置６を例にあげて説明したが、これに限定されるわけではなく、
これ以外の電気機器のプリント配線基板とフレキシブルフラットケーブルＦＦＣとの接続
にも適用される。
【図面の簡単な説明】
【００２８】
【図１】本発明の実施の一形態であるフレキシブルフラットケーブル接続装置の斜視図である。
【図２】（ａ）は同正面図、（ｂ）はＡ−Ａ矢視図、（ｃ）はＢ−Ｂ矢視図である。
【図３】同分解正面図である。
【図４】（ａ）〜（ｃ）は同接続手順を示す説明図である。
【図５】ディスク装置の縦断面図である。
【図６】（ａ）は従来例の正面図、（ｂ）はＣ−Ｃ矢視図、（ｃ）はＤ−Ｄ矢視図である。
【符号の説明】
【００２９】
４        プリント配線基板
４ａ      プリント配線基板の表面
４ｂ      プリント配線基板の裏面
６        接続装置
７        ランド
８        半田付け
１２      コ字状針金
１２Ａ    コ字状針金の中央杆
１２Ｂ    コ字状針金の脚杆
１３      位置決め孔
１３Ａ    位置決め孔の外側内側面
１３ａ    位置決め孔のランド側端部
１３ｂ    位置決め孔のランド反対側端部
ＦＦＣ    フレキシブルフラットケーブル
ＦＦＣａ  フレキシブルフラットケーブルの保護皮膜
ＦＦＣｂ  フレキシブルフラットケーブルの端子
ｈ１      両脚杆の根元間の間隔
ｈ２      保護皮膜の横幅
ｈ３      両ランド側端部の外側内側面間の間隔
ｈ４      中央杆の長さ
ｔ１      ランド側端部の横幅
ｔ２      ランド反対側端部の横幅
【図１】
2010158122.tif 000003
【図２】
2010158122.tif 000004
【図３】
2010158122.tif 000005
【図４】
2010158122.tif 000006
【図５】
2010158122.tif 000007
【図６】
2010158122.tif 000008